(57)【要約】      （修正有）【課題】蘚苔類が部分的に付着されていること、風圧や火災に強いこと、さらに意匠性の高い緑化パネルを提供する。【解決手段】蘚苔類２を印刷技術を用いて基材３表面上に部分的に付着させることによって、緑化パネル１の製造に用いる蘚苔類２の量を減らすことができると共に意匠性の高い緑化パネル１を製造できる。また、基材表面にまたは基材３に難燃剤を含めることによって、基材３に通風孔を設けることによって風圧や火災に強い緑化パネル１を製造できる。【選択図】図１
2011019407.tif 000002
【特許請求の範囲】
【請求項１】
蘚苔類と該蘚苔類を基材表面に付着させるための接着剤とを含む緑化材が部分的に付着された基材からなる緑化パネル。
【請求項２】
緑化材がさらに難燃剤および／または着色剤を含む、請求項１記載の緑化パネル。
【請求項３】
基材の少なくとも一部分が難燃剤を含む、請求項１または２記載の緑化パネル。
【請求項４】
基材の少なくとも一部分が着色されている、請求項１〜３のいずれか１項記載の緑化パネル。
【請求項５】
基材の厚さ方向に直行する二面を貫通する一または複数の通風孔を有する、請求項１〜４のいずれか１項記載の緑化パネル。
【請求項６】
緑化材が少なくとも２種以上の蘚苔類を含む、請求項１〜５のいずれか１項記載の緑化パネル。
【請求項７】
蘚苔類と該蘚苔類を基材表面に付着させるための接着剤とを含む緑化材を、印刷技術により該基材表面へと付着させる工程を含む、緑化パネルの製造方法。
【請求項８】
印刷技術により、緑化材を基材表面に部分的に付着させる、請求項７記載の製造方法。
【発明の詳細な説明】
【技術分野】
【０００１】
本発明は、蘚苔類が部分的に付着された基材からなる緑化パネルおよびその製造方法に関する。
【背景技術】
【０００２】
都市部の温度が局所的に高くなる「ヒートアイランド現象」は、一つの要因として都市部の建築物や構造物の壁面が太陽光などによって加熱・蓄熱されることによって生じると考えられている。このため近年ではこのヒートアイランド現象を緩和するために、日射熱の軽減や大気中の二酸化炭素量を削減することを目的として、建築物や構造物の壁面を植物によって緑化することが注目されている。
【０００３】
建築物や構造物の壁面を緑化するために、今日様々な建築資材、例えば、緑化パネルが開発されている。蘚苔類は、水または肥料を混入した水（液肥）を与えて日光を当てるだけで生育可能であること、過剰に伸びたりしないために必要最小限のメンテナンスで済むこと、および乾燥条件に強いこと等の有利点より、様々な緑化パネルに使用されている。例えば、コケと土と接着剤を利用した緑化剤について報告されている（特許文献１を参照）。また、孔を有する板状物体の孔部分にコケを埋め込む技術について報告されている（特許文献２を参照）。
【０００４】
しかしながら、蘚苔類を利用した緑化パネルには、その緑化面積と同量の蘚苔類を必要としており、工業規模で大量の蘚苔類を得ることは非常に困難な現状がある。一方、使用する蘚苔類の量を節約すると、非緑化部分が目立ち意匠性が乏しくなってしまっていた。
【０００５】
また、従来の緑化パネルは風圧に弱く破損しやすいことまた火災などの燃焼に対して耐性を有さないこと等様々な構造的課題を有していた。
【先行技術文献】
【特許文献】
【０００６】
【特許文献１】特開2006-304710号公報
【特許文献２】特許第3863191号公報
【発明の概要】
【発明が解決しようとする課題】
【０００７】
本発明は、蘚苔類が部分的に付着されていること、風圧や火災に強いこと、さらに意匠性の高いことを特徴とする緑化パネルを提供する。
【課題を解決するための手段】
【０００８】
本発明者らは、上記課題を解決すべく、鋭意検討した結果、蘚苔類を印刷技術を用いて基材表面上に部分的に付着させることによって、緑化パネルの製造に用いる蘚苔類の量を減らすことができると共に意匠性の高い緑化パネルを製造できることを見出した。また、基材表面にまたは基材に難燃剤を含めることによって、および／または基材に通風孔を設けることによって風圧や火災に強い緑化パネルを製造できることを見出し、本発明を完成させるに至った。
【０００９】
すなわち、本発明は以下のとおりである。
［１］  蘚苔類と該蘚苔類を基材表面に付着させるための接着剤とを含む緑化材が部分的に付着された基材からなる緑化パネル。
［２］  緑化材がさらに難燃剤および／または着色剤を含む、［１］の緑化パネル。
［３］  基材の少なくとも一部分が難燃剤を含む、［１］または［２］の緑化パネル。
［４］  基材の少なくとも一部分が着色されている、［１］〜［３］のいずれかの緑化パネル。
［５］  基材の厚さ方向に直行する二面を貫通する一または複数の通風孔を有する、［１］〜［４］のいずれかの緑化パネル。
［６］  緑化材が少なくとも２種以上の蘚苔類を含む、［１］〜［５］のいずれかの緑化パネル。
［７］  蘚苔類と該蘚苔類を基材表面に付着させるための接着剤とを含む緑化材を、印刷技術により該基材表面へと付着させる工程を含む、緑化パネルの製造方法。
［８］  印刷技術により、緑化材を基材表面に部分的に付着させる、［７］の製造方法。
【発明の効果】
【００１０】
本発明の緑化パネルは、蘚苔類が部分的に付着された基材からなるために、製造時に必要とされる蘚苔類の量を減らすことが可能である。また、蘚苔類を印刷技術によって基材に付着させることによって、付着パターンを自由に設計することが可能になり、意匠性の高い緑化パネルを得ることができる。また、緑化パネルに通風孔を設けることによって、緑化パネルに対する風圧を減少させることができ、さらに難燃剤を含めることにより火災による緑化パネルの全焼を防ぐことができる。
【図面の簡単な説明】
【００１１】
【図１】図１は、緑化パネルの正面図を示す。緑化パネルは基材表面上に蘚苔類が万線状（Ａ）または網点状（Ｂ）に付着されている。緑化パネルの基材表面上の蘚苔類は自生し繁茂することによって緑化パネルの基材表面全体を覆う（Ｃ）。
【図２】図２は、通風孔を有する緑化パネルの正面図を示す。緑化パネルは基材表面上に蘚苔類が万線状（Ａ）または網点状（Ｂ）に付着されている。緑化パネルの基材表面上の蘚苔類は自生し繁茂することによって緑化パネルの基材表面全体を覆う（Ｃ）。
【発明を実施するための形態】
【００１２】
以下、本発明を図面を参照して詳細に説明する。ただし、図に示された発明は本発明の一実施形態を示すものであり、本発明をこれらの発明に限定することを意図しない。
【００１３】
本発明の緑化パネルは、例えば建築物および建築物壁面等に取り付けることができる建築資材である。ここで「建築物」とは、ビルや家屋等の建物、橋梁、道路・軌道壁等の建築物を指す。「壁面」とは、外壁も内壁も含む、建築物の壁面を指す。また、「壁面」は、垂直面であっても、傾斜面であっても、水平面であっても良い。
【００１４】
図１に示すように、本発明の緑化パネル１は、蘚苔類２が部分的に付着され配置された表面を有する基材３からなる。「部分的」とは、基材表面積（蘚苔類が付着される一面）の７０％以下、６０％以下、５０％以下、４０％以下、３０％以下、２０％以下、または１０％以下を意味する。蘚苔類の付着、配置は連続したものであってもよいし、網点状等の不連続なものであってもよい。
【００１５】
基材表面に付着される蘚苔類としては、蘚類、苔類、ツノゴケ類等が挙げられるが、これらに限定されない。好ましくは蘚類、苔類、および／またはツノゴケ類である。
【００１６】
蘚類、苔類、ツノゴケ類は、水または肥料を混入した水（液肥）を与えて日光を当てるだけで生育可能であること、過剰に伸びたりしないために必要最小限のメンテナンスで済むこと、および乾燥条件に強いこと等の有利点を有する。
【００１７】
蘚類としては、ミズゴケ類（ミズゴケ亜綱）、クロゴケ類（クロゴケ亜綱）、ナンジャモンジャゴケ類（ナンジャモンジャゴケ亜綱）およびマゴケ類（マゴケ亜綱）等が利用できる。
【００１８】
苔類としては、ゼニゴケ類（ゼニゴケ亜綱）およびウロコゴケ類（ウロコゴケ亜綱）等が利用できる。
【００１９】
ツノゴケ類としては、ツノゴケ亜綱等を利用できる。
好ましくは、エゾスナゴケ（Racomitrium japonicum）、ハイゴケ（Hypnum plumaeforme）、ウマスギゴケ（Polytrichum commune Hedw.）、スギゴケ（Polytrichum juniperinum Willd. ex Hedw.）、ヤマトフデゴケ（Campylopus japonicus Broth.）、ゼニゴケ（Marchantia polymorpha）、ヒノキゴケ（Pyrrhobryum dozyanum）、ホソバオキナゴケ（Leucobryum juniperoideum）、カモジゴケ（Dicranum scoparium）、ミノゴケ（Macromitrium japonicum Dozy et Molk.）、ナガバチヂレゴケ（Ptychomitrium linearifolium Reimers et Sakurai）、シナチヂレゴケ（Ptychomitrium gardneri）を利用できる。特に好ましくは、エゾスナゴケ（Racomitrium japonicum）を利用する。
【００２０】
好ましくは、これら蘚苔類のうちの２種以上を、基材表面に付着させる。２種以上の蘚苔類を付着させることによって、本発明の緑化パネルが設置された生育環境に応じた蘚苔類が繁茂するために、１種のみの蘚苔類を付着させるよりも緑化パネルの適用範囲を拡大することができる。
【００２１】
蘚苔類は基材表面に当業者に公知の一般的な印刷技術を用いて付着させることができる。
【００２２】
具体的には、蘚苔類と接着剤とを含む緑化材を、当業者に公知の一般的な印刷技術を用いて基材表面に付着させる。緑化材の付着に用いることができる印刷技術としては、インクジェット印刷技術やスクリーン印刷技術に限らず、必要に応じてマスク等でパターニングして緑化材をスプレーするスプレー方式、あるいはディッピング方式等が挙げられるが、好ましくはインクジェット印刷技術である。インクジェット印刷は連続方式であっても、ドロップ・オン・デマンド方式であっても良く、またＡＭスクリーン方式またはＦＭスクリーン方式を採用しても良い。
【００２３】
印刷技術を用いて緑化材を基材表面上に部分的に付着させることによって、所望される様々なパターン、例えば、特定の図形、文字、模様等（例えば万線模様（図１（Ａ））および網点模様（図１（Ｂ））等）に蘚苔類が配置された意匠性の高い緑化パネルを得ることができる。また、印刷技術を用いて緑化材を基材表面上へ付着させる際に、緑化材における蘚苔類の含有量および緑化材の付着範囲を適宜調整することによって、基材表面上の蘚苔類に視覚的に濃淡を設けることができ、意匠性の高い緑化パネルを得ることができる。
【００２４】
緑化材に含まれる蘚苔類は胞子体であっても原糸体であっても配偶体であっても良いが、好ましくは配偶体である。配偶体を50mm〜1mm、好ましくは10〜3mm程度の大きさにしたものを緑化材に含める。
【００２５】
接着剤としては、有機または無機の接着剤を用いることができる。無機系の接着剤としては、セメント、モルタル、アスファルト、石膏、および酸化マグネシウム等が挙げられ、有機系の接着剤としては塩化ビニル系樹脂、酢酸ビニル系樹脂、アクリル酸系樹脂、ビニルアルコール系樹脂、エポキシ系樹脂、およびウレタン系樹脂等が挙げられ、具体的にはポリ酢酸ビニル、酢酸ビニル−アクリル酸エステル共重合体、エチレン−酢酸ビニル共重合体、酢酸ビニル−バーサチック酸ビニル共重合体、ポリアクリル酸エステル、スチレン−アクリル酸エステル共重合体、ポリビニルアルコール、およびポリウレタンが例示される。
【００２６】
緑化材には、乾燥重量で、溶媒（例えば水）に対して蘚苔類を30〜1重量％、好ましく
は10〜5重量％および接着剤を30〜1重量％、好ましくは10〜5重量％含める。
【００２７】
緑化材には、必要に応じて、土状粒子を含めることができる。「土状粒子」とは、１０ｍｍ以下、８ｍｍ以下、６ｍｍ以下、４ｍｍ以下、または２ｍｍ以下の平均粒径を有する土、軽石、木片、植物繊維、不織布、および多孔質材料（セラミック、コンクリート等）からなる群から選択される一つ以上の物質からなる粒子を指す。
【００２８】
また緑化材には、必要に応じて、増粘剤および／または高分子凝集剤を適宜含めても良い。増粘剤としては、メラミンスルホン酸塩、リグニンスルホン酸の化合物、カルボキシルメチルセルロース、ヒドロキシメチルセルロース、デキストリン、キサンタンガム、グアーガム等が挙げられる。高分子凝集剤としては、アルギン酸ナトリウム、ポリアクリル酸ナトリウム、マレイン酸共重合物、ポリアクリルアミドの部分加水分解物、ポリエチレンイミン、水溶性アニリン樹脂、ポリチオ尿素、ポリビニルピリジン、ポリアクリルアミド、ポリオキシエチレン等が挙げられる。
【００２９】
さらに、緑化材には難燃剤を適宜含めることができる。難燃剤には有機系難燃剤と無機系の難燃剤があり、有機系難燃剤としては、臭素化合物であるペンタブロモジフェニルエーテル、オクタブロモジフェニルエーテル、デカブロモジフェニルエーテル、テトラブロモビスフェノールA、ヘキサブロモシクロドデカン等、リン化合物である芳香族のリン酸エステル、赤リン、ハロゲンを含むリン酸エステル等、塩素化合物である塩素化パラフィン等が挙げられる。また、無機系難燃剤としては、アンチモン化合物である臭素化合物、三酸化アンチモン、五酸化アンチモン等、金属水酸化物である水酸化アルミニウム、水酸化マグネシウム等が挙げられる。さらに、一般的な分類による難燃剤には含まれないが、ポリホウ酸ナトリウム等の不燃剤も利用することができる。本発明においては、これらの不燃剤も難燃剤に含める。緑化材に難燃剤を含めることによって、乾燥時に蘚苔類が燃焼するのを防ぐことができる。難燃剤は、緑化材を基材表面上に付着させた後に、例えば、スプレー等の散布により、および／または機械コーティングやはけ塗り等の塗布により緑化材に含ませることもできる。この際、難燃剤は基材表面上に付着させた緑化材の全体に含めても良いし、一部に含めても良い。「一部」とは基材表面上に付着された緑化材のうち、任意の部分のみを指す。
【００３０】
さらに、緑化材には着色剤（例えば、緑色系）を適宜含めることができる。
基材表面上に部分的に付着された蘚苔類は、当該基材表面上で自生し、次第に付着部位から周囲（未付着部位）へと繁茂していき、最終的には当該基材表面全体が当該蘚苔類によって覆われる(図１（Ｃ）)。
【００３１】
基材の形状は、特に限定されるものではなく、基材の厚さ方向に直行する面の形状は、丸、楕円、三角、正方形、ひし形等、いかなる形状であっても良く、プレート状のものまたは一部またはその全体が上方に立ち上がっているトナー状のものであっても良い。また、基材の形状は、凹面または凸面を有するものであっても良い。
【００３２】
基材の側面、すなわち、厚さ方向に水平な面の形状はその目的に応じて任意に形成することができ、特に限定されない。
【００３３】
基材は、蘚苔類を保持でき、かつ屋内外の設置に長期耐え得ることができる強度を有す
ればいかなる材料から形成されても良く、例えば、これらに限定されないが金属、樹脂、木、多孔質材料（セラミック、コンクリート等）から形成される。好ましくは、多孔質材料から形成される。また、蘚苔類を保持する表面積を増大させるために、例えば、土、軽石、木片、植物繊維、不織布、および多孔質材料（セラミック、コンクリート等）からなる群から選択される一つ以上の物質（好ましくは不織布）を基材表面に用いても良く、また溝微細加工処理を施しても良い。また、スクラッチ処理を行ってもよい。表面積を増大させた場合、コケの仮根が付着しやすくなる。また必要に応じて、水の流れを制御するために、基材はその全体または一部が防水シートによって覆われていても良く、また保水剤（架橋ポリアクリル酸ソーダゲルやＰＶＡ等）を含めても良い。さらに、基材の緑化面を光触媒処理してもよい。光触媒処理を施すことで表面に親水性が付与され、水が基板上を拡散しやすくなる。光触媒処理は、例えば基材表面に二酸化チタン薄膜を形成させることにより行うことができる。
【００３４】
また、基材には必要に応じて、難燃剤を含めても良いし、一部に含めても良い。難燃剤を「一部に含める」とは基材の任意の部分を構成する材料のみが難燃剤を含むことを指す。「任意の部分」として、例えば、緑化材が付着される基材表面等が挙げられるがこれに限定されない。また基材の全体または任意の部分が難燃剤によって覆われていても良い。用いることができる難燃剤は、上に定義したとおりである。基材に難燃剤を含めることによって、蘚苔類の燃焼による緑化パネルの燃焼および延焼を防ぐことができる。
【００３５】
さらに基材はその一部または全体が一色または複数の色（例えば、緑色系）で着色されていても良い。基材を着色することによって、基材表面の緑化材が付着されていない部位の意匠性を高めることができる。
【００３６】
図２に示すように、基材３には必要に応じて、通風するための一または複数の貫通孔を通風孔として設けても良い。当該通風孔４により、緑化パネルに対する風を通すことで、当該緑化パネルに対する風圧を軽減することができる。通風孔４の数や大きさ等は特に限定されず、緑化パネルの設置場所、設置方法等によって適宜変更することができる。例えば、通風孔を基材の厚さ方向に直交する二面を貫通するように設ければ良い。通風孔を設けた場合、通風孔以外の平面部にコケが繁茂する。
【００３７】
本発明はさらに、上記緑化パネルの製造方法にも関する。以下、緑化パネルの製造方法を例示する。
【００３８】
（１）蘚苔類を接着剤に混ぜ、緑化材を形成する。緑化材には、必要に応じて、増粘剤および／または高分子凝集剤を適宜含めても良い。緑化材がさらに難燃剤および／または着色剤を含めても良い。
【００３９】
（２）前記（１）の緑化材を、印刷機の穴付きのインクジェットヘッドを通して、基材表面に吐出する。この際に、基材を一方向に移動させることが望ましい。
【００４０】
（３）一定速度で基材を移動させることにより、万線状のコケ緑化パネルを製造することができる。この際、基材の移動速度を変化させることにより、厚みを変えることができる。また、インクジェットヘッドの穴を横長にすると、万線幅を変えることができる。また、複数の穴をインクジェットヘッド上に一列または多列（千鳥状の配置も含む）に設けても良い。インクジェットヘッドの複数の穴から吐出した緑化材が基材表面に着弾した後、隣接する穴から吐出され着弾した緑化材同士が結合する。これにより、インクジェットヘッドの複数の穴から選択する穴の数によっても万線幅を変えることができる。インクジェットヘッドから吐出される緑化材を、吐出したり止めたりしながら、基材を一方向に移動させることにより、網点状のコケ緑化パネルを製造することができる。
【００４１】
なお、例示としてインクジェットヘッドを固定した状態にて一定速度で基材を移動させる方式を説明したが、基材を固定した状態にてインクジェットヘッド側を一定速度で移動させながら基材表面に蘚苔類と接着剤とを含む緑化材を吐出する方式でも良い。この方式によっても、緑化材を基材表面上に部分的に付着させることによって、万線状および網点状に蘚苔類が配置された意匠性の高い緑化パネルを得ることができる。また、緑化材を基材表面上へ付着させる際に、緑化材における蘚苔類の含有量および緑化材の付着範囲を適宜調整することによって、基材表面上の蘚苔類に視覚的に濃淡を設けることができ、意匠性の高い緑化パネルを得ることができる
【産業上の利用可能性】
【００４２】
本発明の緑化パネルは、蘚苔類を部分的に付着させ製造するために、当該緑化パネル製造時に大量の蘚苔類を必要としない有利点を有する。また、蘚苔類は所望される様々なパターンに従って付着することが可能であるため意匠性の高い緑化パネルである。さらに、本発明の緑化パネルは、通気口および難燃剤を備えることによって、風圧や火災に強い有利点を有する。これらの特徴から、様々な建築物または建築物壁面等の建築資材として利用することができる。
【符号の説明】
【００４３】
１緑化パネル
２蘚苔類
３基材
４通風孔
【図１】
2011019407.tif 000003
【図２】
2011019407.tif 000004